(57)【要約】【課題】送信側で生成された合成画像およびその元画像を受信側で表示することができる画像通信システムにおける画像通信装置およびその画像表示方法を提供する。【解決手段】通信装置（１０）から通信装置（２０）へ画像を送信する画像通信システムであって、通信装置（１０）は元画像に１以上の挿入画像を合成して生成される合成画像のレイアウト情報（Ｃｎ）、元画像データ（Ａ）および挿入画像データ（Ｂｎ）を通信装置（２０）へ送信し、第２通信装置（２０）は受信したレイアウト情報（Ｃｎ）、元画像データ（Ａ）および挿入画像データ（Ｂｎ）を用いて合成画像（Ｄ）を合成し合成画像（Ｄ）と元画像（Ａ）とを選択可能に表示部（２０４）に表示する。【選択図】図１
2011109424.tif 000002
【特許請求の範囲】
【請求項１】
第１通信装置から第２通信装置へ画像を送信する画像通信システムであって、
前記第１通信装置は、元画像に１以上の挿入画像を合成して生成される合成画像のレイアウト情報、前記元画像データおよび前記挿入画像データを前記第２通信装置へ送信し、
前記第２通信装置は、前記第１通信装置から受信した前記レイアウト情報、前記元画像データおよび前記挿入画像データを用いて前記合成画像を合成し、前記合成画像と前記元画像とを選択可能に表示する、
ことを特徴とする画像通信システム。
【請求項２】
画像処理機能を有する画像通信装置であって、
元画像と１以上の挿入画像とをユーザ指定に従って合成したときに当該合成画像のレイアウト情報、前記元画像データおよび前記挿入画像データを生成する画像合成情報生成手段と、
前記合成画像を生成するための前記レイアウト情報、前記元画像データおよび前記挿入画像データを他の通信装置へ送信する送信手段と、
を有することを特徴とする画像通信装置。
【請求項３】
前記送信手段は、前記他の通信装置が前記合成画像を生成し前記合成画像および前記元画像を選択可能に表示するための画像表示プログラムを、前記レイアウト情報、前記元画像データおよび前記挿入画像データと共に、前記他の通信装置へ送信することを特徴とする請求項２に記載の画像通信装置。
【請求項４】
プログラム制御プロセッサが外部から受信した合成画像作成プログラムを実行することにより前記画像合成情報生成手段を実現することを特徴とする請求項２または３に記載の画像通信装置。
【請求項５】
画像処理機能を有する画像通信装置であって、
他の通信装置から元画像データおよび挿入画像データと元画像に挿入画像を合成して生成される合成画像のレイアウト情報とを受信する受信手段と、
前記レイアウト情報、前記元画像データおよび前記挿入画像データを用いて前記合成画像を合成し、前記合成画像と前記元画像とを選択可能に表示するための画像表示制御手段と、
を有することを特徴とする画像通信装置。
【請求項６】
プログラム制御プロセッサが外部から受信した画像表示プログラムを実行することにより前記画像表示制御手段を実現することを特徴とする請求項５に記載の画像通信装置。
【請求項７】
前記画像表示プログラムを、前記他の通信装置から前記レイアウト情報、前記元画像データおよび前記挿入画像データと共に受信するか、あるいはネットワーク上のサーバから受信する、ことを特徴とする請求項６に記載の画像通信装置。
【請求項８】
第１通信装置から第２通信装置へ画像を送信する画像通信システムであって、
前記第１通信装置および前記第２通信装置がアクセス可能であり、少なくとも画像表示エンジンを搭載したサーバを有し、
前記第１通信装置は、元画像に１以上の挿入画像を合成して生成される合成画像のレイアウト情報、前記元画像データおよび前記挿入画像データを前記サーバへアップロードし、
前記第２通信装置は、前記サーバの前記画像表示エンジンを起動することで、前記サーバにアップロードされた前記レイアウト情報、前記元画像データおよび前記挿入画像データから前記合成画像を合成し、前記合成画像と前記元画像とを選択的にダウンロードする、
ことを特徴とする画像通信システム。
【請求項９】
第１通信装置から第２通信装置へ画像を送信する画像通信方法であって、
前記第１通信装置が、元画像に１以上の挿入画像を合成して生成される合成画像のレイアウト情報、前記元画像データおよび前記挿入画像データを前記第２通信装置へ送信し、
前記第２通信装置が、前記第１通信装置から受信した前記レイアウト情報、前記元画像データおよび前記挿入画像データを用いて前記合成画像を合成し、前記合成画像と前記元画像とを選択可能に表示する、
ことを特徴とする画像通信方法。
【請求項１０】
画像処理機能を有する画像通信装置における画像通信方法であって、
画像合成情報生成手段が元画像と１以上の挿入画像とをユーザ指定に従って合成したときに当該合成画像のレイアウト情報、前記元画像データおよび前記挿入画像データを生成し、
送信手段が前記合成画像を生成するための前記レイアウト情報、前記元画像データおよび前記挿入画像データを他の通信装置へ送信する、
ことを特徴とする画像通信方法。
【請求項１１】
前記送信手段は、前記レイアウト情報、前記元画像データおよび前記挿入画像データに加えて、前記他の通信装置が前記合成画像を生成し前記合成画像および前記元画像を選択的に表示するための画像表示プログラムを前記他の通信装置へ送信することを特徴とする請求項１０に記載の画像通信方法。
【請求項１２】
プログラム制御プロセッサが外部から受信した合成画像作成プログラムを実行することにより前記画像合成情報生成手段を実現することを特徴とする請求項１０または１１に記載の画像通信方法。
【請求項１３】
画像処理機能を有する画像通信装置における画像通信方法であって、
受信手段が他の通信装置から元画像データおよび挿入画像データと前記元画像に前記挿入画像を配置するためのレイアウト情報とを受信し、
画像表示制御手段が前記レイアウト情報、前記元画像データおよび前記挿入画像データを用いて前記合成画像を合成し、前記合成画像と前記元画像とを選択可能に表示する、
ことを特徴とする画像通信方法。
【請求項１４】
プログラム制御プロセッサが外部から受信した画像表示プログラムを実行することにより前記画像表示制御手段を実現することを特徴とする請求項１３に記載の画像通信方法。
【請求項１５】
前記画像表示プログラムを前記他の通信装置から前記レイアウト情報、前記元画像データおよび前記挿入画像データと共に受信するか、あるいはネットワーク上のサーバから受信することを特徴とする請求項１４に記載の画像通信方法。
【請求項１６】
第１通信装置から第２通信装置へ画像を送信する画像通信方法であって、
前記第１通信装置が、元画像に１以上の挿入画像を合成して生成される合成画像のレイアウト情報、前記元画像データおよび前記挿入画像データを少なくとも画像表示エンジンを搭載したサーバへアップロードし、
前記第２通信装置が、前記サーバの前記画像表示エンジンを起動することで、前記サーバにアップロードされた前記レイアウト情報、前記元画像データおよび前記挿入画像データから前記合成画像を合成し、前記合成画像と前記元画像とを選択的にダウンロードする、
ことを特徴とする画像通信方法。
【請求項１７】
画像処理機能を有する画像通信装置のプログラム制御プロセッサを機能させるプログラムであって、
画像合成情報生成手段が元画像と１以上の挿入画像とをユーザ指定に従って合成したときに当該合成画像のレイアウト情報、前記元画像データおよび前記挿入画像データを生成し、
送信手段が前記合成画像を生成するための前記レイアウト情報、前記元画像データおよび前記挿入画像データを他の通信装置へ送信する、
ように前記プログラム制御プロセッサを機能させることを特徴とするプログラム。
【請求項１８】
画像処理機能を有する画像通信装置のプログラム制御プロセッサを機能させるプログラムであって、
受信手段が他の通信装置から元画像データおよび挿入画像データと前記元画像に前記挿入画像を配置するためのレイアウト情報とを受信し、
画像表示制御手段が前記レイアウト情報、前記元画像データおよび前記挿入画像データを用いて前記合成画像を合成し、前記合成画像と前記元画像とを選択可能に表示する、
ように前記プログラム制御プロセッサを機能させることを特徴とするプログラム。
【発明の詳細な説明】
【技術分野】
【０００１】
本発明は合成画像を伝送し表示する画像通信システムに係り、特にその画像通信装置および画像表示方法に関する。
【背景技術】
【０００２】
近年、ほとんどの携帯電話機にはカメラ機能やメール機能が搭載されており、簡単な操作で写真などの画像をｅメールで送信することができる。たとえば特許文献１に開示された携帯電話機では、複数の画像や文字などをレイアウトし更に装飾してメール本文として送信することができる。
【０００３】
また、画像通信システムの一例が特許文献２に開示されている。特許文献２によれば、複数の画像送信装置がそれぞれレイアウトにより指定された画像を送信し、受信側でそれらの画像を当該レイアウトに従って合成して表示する。
【先行技術文献】
【特許文献】
【０００４】
【特許文献１】特開２００９−０２６０８９号公報
【特許文献２】特開２０００−０８３１９３号公報
【発明の概要】
【発明が解決しようとする課題】
【０００５】
上述したように、特許文献１および２に開示されたシステムでは、受信側で合成画像を表示することが前提となっており、送信側で複数の画像を簡単に合成する方法や複数の画像を伝送路に負荷をかけず送信する方法などが教示されているのみである。
【０００６】
しかしながら、画像通信の利用形態として、合成される前の元画像を受信側で表示あるいは利用したい場合がある。上述した特許文献に記載されたようなシステムでは、合成前の元画像を受信側で表示することができないので、このような要求に応えることができない。
【０００７】
そこで、本発明の目的は、送信側で生成された合成画像およびその元画像を受信側で表示することができる画像通信システムにおける画像通信装置およびその画像表示方法を提供することにある。
【課題を解決するための手段】
【０００８】
本発明による画像通信システムは、第１通信装置から第２通信装置へ画像を送信する画像通信システムであって、前記第１通信装置は、元画像に１以上の挿入画像を合成して生成される合成画像のレイアウト情報、前記元画像データおよび前記挿入画像データを前記第２通信装置へ送信し、前記第２通信装置は、前記第１通信装置から受信した前記レイアウト情報、前記元画像データおよび前記挿入画像データを用いて前記合成画像を合成し、前記合成画像と前記元画像とを選択可能に表示する、ことを特徴とする。
【０００９】
本発明による画像通信装置は、画像処理機能を有する画像通信装置であって、元画像と１以上の挿入画像とをユーザ指定に従って合成したときに当該合成画像のレイアウト情報、前記元画像データおよび前記挿入画像データを生成する画像合成情報生成手段と、前記合成画像を生成するための前記レイアウト情報、前記元画像データおよび前記挿入画像データを他の通信装置へ送信する送信手段と、を有することを特徴とする。
【００１０】
本発明による画像通信装置は、画像処理機能を有する画像通信装置であって、他の通信装置から元画像データおよび挿入画像データと元画像に挿入画像を合成して生成される合成画像のレイアウト情報とを受信する受信手段と、前記レイアウト情報、前記元画像データおよび前記挿入画像データを用いて前記合成画像を合成し、前記合成画像と前記元画像とを選択可能に表示するための画像表示制御手段と、を有することを特徴とする。
【００１１】
本発明による画像通信システムは、第１通信装置から第２通信装置へ画像を送信する画像通信システムであって、前記第１通信装置および前記第２通信装置がアクセス可能であり、少なくとも画像表示エンジンを搭載したサーバを有し、前記第１通信装置は、元画像に１以上の挿入画像を合成して生成される合成画像のレイアウト情報、前記元画像データおよび前記挿入画像データを前記サーバへアップロードし、前記第２通信装置は、前記サーバの前記画像表示エンジンを起動することで、前記サーバにアップロードされた前記レイアウト情報、前記元画像データおよび前記挿入画像データから前記合成画像を合成し、前記合成画像と前記元画像とを選択的にダウンロードする、ことを特徴とする。
【００１２】
本発明による画像通信方法は、第１通信装置から第２通信装置へ画像を送信する画像通信方法であって、前記第１通信装置が、元画像に１以上の挿入画像を合成して生成される合成画像のレイアウト情報、前記元画像データおよび前記挿入画像データを前記第２通信装置へ送信し、前記第２通信装置が、前記第１通信装置から受信した前記レイアウト情報、前記元画像データおよび前記挿入画像データを用いて前記合成画像を合成し、前記合成画像と前記元画像を選択可能に表示する、ことを特徴とする。
【００１３】
本発明による画像通信方法は、画像処理機能を有する画像通信装置における画像通信方法であって、画像合成情報生成手段が元画像と１以上の挿入画像とをユーザ指定に従って合成したときに当該合成画像のレイアウト情報、前記元画像データおよび前記挿入画像データを生成し、送信手段が前記合成画像を生成するための前記レイアウト情報、前記元画像データおよび前記挿入画像データを他の通信装置へ送信する、ことを特徴とする。
【００１４】
本発明による画像通信方法は、画像処理機能を有する画像通信装置における画像通信方法であって、受信手段が他の通信装置から元画像データおよび挿入画像データと前記元画像に前記挿入画像を配置するためのレイアウト情報とを受信し、画像表示制御手段が前記レイアウト情報、前記元画像データおよび前記挿入画像データを用いて前記合成画像を合成し、前記合成画像と前記元画像とを選択可能に表示する、ことを特徴とする。
【発明の効果】
【００１５】
本発明によれば、送信側で生成された合成画像およびその元画像を受信側で表示することができる。
【図面の簡単な説明】
【００１６】
【図１】本発明の第１実施形態による画像通信システムにおける送信側および受信側の通信装置の機能的構成を示すブロック図である。
【図２】本発明の一実施例による画像通信装置を適用した携帯端末の機能的構成および動作を説明するための模式的ブロック図である。
【図３】本実施例による画像通信装置に搭載された合成画像作成エンジンおよび画像表示エンジンの動作を説明するための模式図である。
【図４】（Ａ）は本発明の第１実施形態による画像通信装置による送信データの構成を示す模式図であり、（Ｂ）は本発明の第２実施形態による画像通信装置による送信データの構成を示す模式図である。
【図５】本発明の第３実施形態による画像通信システムを示すブロック図である。
【発明を実施するための形態】
【００１７】
以下、本発明を実施するための形態について図面を参照して詳細に説明する。なお、本発明は、以下に述べる実施形態により限定されるものではない。
【００１８】
１．第１実施形態
１．１）画像通信システム
図１に示すように、本発明の第１実施形態による画像通信システムは、画像合成情報を作成して送信する送信側通信装置１０と、受信した画像合成情報に基づき合成画像または元画像を選択表示することができる受信側通信装置２０とを有する。
【００１９】
送信側の通信装置１０は、画像合成情報生成部１０１、画像データを格納するメモリ１０２、送信部１０３、その他図示しない機能部（操作部、表示部等）を有する。
【００２０】
画像合成情報生成部１０１は、元画像データＡと１以上の挿入データ（画像、文字あるいは図形など）とを入力し、挿入データの画像背景を透過色にして挿入画像を作成しメモリ１０２に格納する。さらに、画像合成情報生成部１０１は、ユーザが操作部を操作することで作成する元画像と挿入画像との合成画像のレイアウト情報Ｃｎ、元画像データＡおよび挿入画像データＢｎを送信部１０３へ出力する。以下、レイアウト情報Ｃｎ、元画像データＡおよび挿入画像データＢｎをまとめて画像合成情報と呼び、適宜、（Ａ＋Ｂｎ＋Ｃｎ）と記す。
【００２１】
なお、レイアウト情報Ｃｎは、挿入画像のサイズ、挿入位置の座標および回転角度に関する情報を含み、例えばマークアップ言語で記述されたファイルあるいはExif (Exchangeable image file format)ファイルを用いて書き込むことができる。生成されたレイアウト情報Ｃｎはメモリ１０２に格納しておけば後で再利用することが可能である。
【００２２】
送信部１０３はメール機能などの通信機能を有し、画像合成情報（Ａ＋Ｂｎ＋Ｃｎ）を受信側の通信装置２０へ送信する。たとえば、この画像合成情報をメール添付ファイルとして送信することができる。
【００２３】
受信側の通信装置２０は、受信部２０１と、画像表示制御部２０２と、画像データを格納するメモリ２０３と、表示部２０４と、その他図示しない機能部（操作部等）を有する。
【００２４】
受信部２０１は通信装置１０から画像合成情報を受信する。画像表示制御部２０２は、画像合成情報のレイアウト情報Ｃｎに従って、元画像データＡと挿入画像データＢｎとを合成して合成画像Ｄを生成し、合成画像Ｄおよび元画像Ａをメモリ２０３に格納する。さらに、画像表示制御部２０２は、ユーザの指示に従って、合成画像Ｄあるいは元画像Ａを選択的に表示部２０３に表示する。
【００２５】
なお、図１では、送信側と受信側の通信装置を別々に記載しているが、１つの通信装置に送信側の送信部１０３および画像合成情報生成部１０１と、受信側の受信部２０１および画像表制御部２０２と、共通のメモリ（１０２，２０３）とを設けてもよい。
【００２６】
また、上述の画像合成情報生成部１０１および画像表示制御部２０２と同等の機能は、通信装置１０および２０のそれぞれのプログラム制御プロセッサ上でプログラムを実行することにより実現することも可能である。また、画像合成情報生成部１０１および画像表示制御部２０２を実現するプログラムをサーバからダウンロードしてもよいし、マイクロＳＤのような記録媒体から取得してもよい。
【００２７】
２．実施例
次に、図２を用いて、本発明に係る画像通信装置を携帯端末に適用した場合の構成および動作について説明する。
【００２８】
図２において、携帯端末１０は、図１で述べた送信側通信装置１０を適用したものであり、携帯端末の動作を制御するための制御部１１０と、画像合成情報生成部１０１に対応する合成画像作成エンジン１１１とを搭載している。ユーザが操作部を用いて合成画像の作成要求を行うと、合成画像作成エンジン１１１が起動し、上述した画像合成情報（Ａ＋Ｂｎ＋Ｃｎ）が生成される。ユーザが携帯端末１０の例えばメール機能を用いて合成画像を送信する操作を行うと、送信部１０３は、合成画像そのものではなく、画像合成情報（Ａ＋Ｂｎ＋Ｃｎ）をメール添付して携帯端末２０へ送信する。
【００２９】
合成画像作成エンジン１１１は、元画像Ａに文字や画像を挿入する際、挿入する文字や画像の背景を透過色とし、挿入画像Ｂｎとして保持する。また、挿入画像のサイズや挿入位置の座標、回転角度などのレイアウト情報Ｃｎをマークアップ言語で記述されたファイルやExifデータに保持する。ただし、レイアウト情報Ｃｎは、携帯端末の画像描画サイズに合わせて変更してもよい。この変更は、自動で行ってもよいし、利用者が指定してもよい。
【００３０】
携帯端末２０は、図１で述べた受信側通信装置２０を適用したものであり、携帯端末の動作を制御するための制御部２１０と、画像表示制御部２０２に対応する画像表示エンジン２１１を搭載している。ユーザが操作部を用いて閲覧要求を行うと、画像表示エンジン２１１は、上述したように画像合成情報に基づいて合成画像Ｄを生成し、ユーザの要求に応じて合成画像Ｄまたは元画像Ａを携帯端末２０の表示部に選択的に表示する。
【００３１】
図３には画像を合成する際の合成画像作成エンジン１１１および画像表示エンジン２１１の動作が模式的に示されている。まず、合成画像作成エンジン１１１は、ユーザから合成画像の作成要求を受けると、挿入する画像の背景を透過色にする透過処理をして挿入画像Ｂを作成し、続いて、ユーザが指示した挿入画像Ｂの挿入位置の座標および回転角度に関する情報をレイアウト情報Ｃとして作成する。言い換えれば、レイアウト情報Ｃに従って元画像Ａと挿入画像Ｂとを合成することにより、ユーザが意図した合成画像Ｄが生成される。合成画像作成エンジン１１１は元画像Ａと挿入画像Ｂとレイアウト情報Ｃとを含む画像合成情報を保持すると、ユーザに合成完了を通知する。
【００３２】
続いて、ユーザは、合成画像情報を携帯端末２へ送信するための送信要求（ここではメール添付）を行う。ユーザからの送信要求を受けた送信部１０３は、画像合成情報をメール添付ファイルとして携帯端末２０へ送信する。
【００３３】
携帯端末２０の画像表示エンジン２１１は携帯端末１０から画像合成情報を受信すると、ユーザに着信を通知する。ユーザから合成画像の表示要求を受けると、画像表示エンジン２１１は、画像統制情報（元画像Ａ、挿入画像Ｂｎ、レイアウト情報Ｃｎ）を入力情報として、元画像Ａと挿入画像Ｂとを合成した合成画像Ｄを生成し、その合成画像Ｄを表示部に表示する。また、ユーザから当該合成画像Ｄの元画像Ａの表示要求を受けると、画像表示エンジン２１１は画像合成情報から元画像Ａを読み出して表示部に表示する。
【００３４】
３．適用例
一例として、送信側のユーザαが携帯端末１０でカメラ撮影した画像「photo.jpg」に文字や記号を書き込み、その書き込んだ画像をメールに添付するなどして受信側のユーザβの携帯端末２０へ送付する場合について説明する。
【００３５】
携帯端末１０でカメラ撮影した元画像「photo.jpg」にタッチパネル等を使用して文字やイラストを書き込む際、合成画像作成エンジン１１１は書き込んだ文字やイラストを背景を透過色にした挿入画像「insert.jpg」として保持する。また、合成画像作成エンジン１１１は、挿入位置の座標と回転角度をレイアウト情報Ｃｎとしてマークアップ言語を使用したファイルやExifデータに書き込む。
【００３６】
ユーザαはメールに画像を添付して送付するとき、元画像「photo.jpg」と挿入画像「insert.jpg」とレイアウト情報Ｃｎとをまとめてユーザβへ送付する。
【００３７】
ユーザβが携帯端末１０から送付された画像の閲覧要求を行うと、画像表示エンジン２１１はレイアウト情報Ｃｎに従って元画像「photo.jpg」に挿入画像「insert.jpg」を合成し合成画像Ｄを生成し、表示部に表示する。また、ユーザβが合成前の元画像Ａの表示要求を行うと、画像表示エンジン２１１は画像合成情報から合成前の元画像「photo.jog」を読み出して表示部に表示する。
【００３８】
４．効果
上述したように、本実施形態によれば、送信側の通信装置１０は、合成画像Ｄそのものではなく、合成画像Ｄを生成するための画像合成情報、すなわちレイアウト情報Ｃｎ、元画像データＡおよび挿入画像データＢｎを受信側の通信装置２０へ送信する。そして、受信側通信装置２０において、画像合成情報から合成画像Ｄを生成して表示すると共に、ユーザの要求に応じて、画像合成情報から元画像Ａを読み出して表示することができる。
【００３９】
また、本実施形態による画像通信システムを利用すれば、例えば顔写真（元画像）に眼鏡や帽子等の複数の画像を選択して挿入することにより、試着した様子を比較閲覧することが可能になる。その際、合成画像そのものを保持する必要はなく、挿入画像とレイアウト情報とを保持しておけばよいので、ファイル容量を少なくすることができる。
【００４０】
５．第２実施形態
図４（Ａ）に示すように、上述した第１実施形態では、送信側通信装置１０に合成画像作成エンジン１１１が、受信側通信装置２０に画像表示エンジン２１１がそれぞれ搭載されていたが、本発明のこれに限定されるものではない。
【００４１】
図４（Ｂ）に示すように、受信側通信装置２０に画像表示エンジン２１１が搭載されていない場合であっても、送信側通信装置１０の合成画像作成エンジン１１１が画像表示エンジンをメール添付ファイルに含めて画像合成情報と共に送信することで受信側通信装置２０で合成画像あるいは元画像を表示することができる。すなわち、通信装置２０のプログラム制御プロセッサ上で受信した画像表示エンジンのプログラムを実行することにより、第１実施形態と同様の効果を得ることができる。
【００４２】
６．その他の実施形態
図５に示すように、ネットワーク４０上のサーバ５０が上述した合成画像作成エンジンおよび画像表示エンジンを提供する構成にすることもできる。すなわち、通信装置１０および２０がネットワーク４０を通してサーバ５０にアクセスすることにより、合成画像作成エンジンあるいは画像表示エンジンをダウンロードして利用する。通信装置１０および２０のプログラム制御プロセッサ上でダウンロードした合成画像作成エンジンあるいは画像表示エンジンのプログラムを実行することにより、第１実施形態と同様の効果を得ることができる。
【００４３】
あるいは、図５に示すように、サーバ５０に画像表示エンジンが搭載され、受信側の通信装置２０がサーバ５０にアクセスして画像表示エンジンから合成画像あるいは元画像をダウンロードする構成であってもよい。すなわち、通信装置１０が第１実施形態のように合成画像作成エンジン１１１を搭載し、合成画像作成エンジン１１１で画像合成情報（元画像Ａ、挿入画像Ｂｎ、レイアウト情報Ｃｎ）が作成されると、画像合成情報をサーバ５０へアップロードする。
【００４４】
画像合成情報がサーバ５０へアップロードされると、その旨が通信装置２０へサーバ５０あるいは送信側通信装置１０から通知される。この通知を受けると、通信装置２０のユーザはサーバ５０にアクセスして閲覧要求を行い、サーバ５０の画像表示エンジンから合成画像Ｄまたは元画像Ａをダウンロードし表示部に表示する。
【００４５】
このようにサーバ５０に画像表示エンジンを利用可能に設けることで、受信側の通信装置２０に画像表示エンジンを搭載する必要がなくなる。このためにサーバ５０にアクセスできる通信装置であれば合成画像Ｄまたは元画像Ａを容易に表示することが可能になる。
【産業上の利用可能性】
【００４６】
本発明は画像処理機能および画像表示機能を有する携帯電話機等の通信装置に適用可能である。
【符号の説明】
【００４７】
１０  送信側通信装置
２０  受信側通信装置
１０１  画像合成情報生成部
１０２  メモリ
１０３  送信部
１１０  制御部
１１１  合成画像作成エンジン
２０１  受信部
２０２  画像表示制御部
２０３  メモリ
２０４  表示部
２１０  制御部
２１１  画像表示エンジン
【図１】
2011109424.tif 000003
【図２】
2011109424.tif 000004
【図３】
2011109424.tif 000005
【図４】
2011109424.tif 000006
【図５】
2011109424.tif 000007